(57)【要約】光ディスクに分析対象を配置した分析用ディスクであっても、分析対象の映像をより正確に再生できる分析装置を提供することを目的とする。分析用ディスク２０１上のトラックを捕捉してトレースする第２のピックアップ１０６ｂとこれからディスク上一定の距離Ｌで固定された第１のピックアップ１０６ａを設けて、第１のピックアップ１０６ａの光路を分析用ディスクの径方向に駆動するトラッキングアクチュエータに、第２のピックアップ１０６ｂのトラッキング信号と同じ信号を印加して、第２のピックアップ１０６ｂの時々の前記径方向の位置を制御しながら分析対象１１０の部分をトレースして読み取りさせる。
2003102556.tif 000002
【特許請求の範囲】
【請求項１】
分析対象を配置した分析用ディスクに検出光を照射し、前記分析対象の状態を読み取る分析装置において、
前記分析対象が配置された第１の読み取りエリアと前記分析対象が配置されていない第２の読み取りエリアとが分析用ディスクの異なる径の範囲に記録された分析用ディスクがセット可能であり、
セットされた前記分析用ディスクの第１の読み取りエリアに検出光を照射し第１の読み取りエリアからの検出光を検出する第１のピックアップと、
セットされた前記分析用ディスクの第２の読み取りエリアに検出光を照射し第２の読み取りエリアの検出光からトラック情報を検出する第２のピックアップとを設け、第１のピックアップと第２のピックアップとの分析用ディスクの径方向の間隔を一定に保持して第１，第２のピックアップを径方向に一体的に移動させるトラバース駆動を実施するよう構成し、
第２のピックアップの光路を分析用ディスクの径方向に駆動してトラックをトレースするように第２のピックアップのトラッキングアクチュエータにトラッキング信号を供給するとともに、第１のピックアップの光路を分析用ディスクの径方向に駆動する第１のピックアップのトラッキングアクチュエータに第２のピックアップのトラッキング信号と同じ信号を印加して分析対象を読み取るように構成した
分析装置。
【請求項２】
第１のピックアップは、分析用ディスクの読み取り位置の映像を読み取る機能を有しトラック情報を読み取る機能は有していない
請求項１記載の分析装置。
【請求項３】
２つのピックアップは、分析用ディスクの読み取り位置の映像を読み取る機能とトラック情報を読み取る機能とを共に有しており、
トラック情報を分析用ディスクから読み取った一方のピックアップを第２のピックアップとし、他方のピックアップを第１のピックアップとして自動切り替えするように構成した
請求項１記載の分析装置。
【請求項４】
第１の読み取りエリアを読み取る第１のピックアップを複数個設けたことを特徴とする
請求項１記載の分析装置。
【請求項５】
異なる径の範囲に第１の読み取りエリアと第２の読み取りエリアが形成された分析用ディスクであって、
第２の読み取りエリアにはピックアップにてトレースすることが可能な符号化された信号が光学記録されており分析対象が配置されておらず、
第１の読み取りエリアには分析対象を配置しピックアップにてトレースすることが可能な符号化された信号が光学記録されていない
分析用ディスク。
【請求項６】
異なる径の範囲に第１の読み取りエリアと第２の読み取りエリアが形成された分析用ディスクであって、
第１，第２の読み取りエリアにはピックアップにてトレースすることが可能な符号化された信号が光学記録されており、分析対象を第１，第２の読み取りエリアのうちの第１の読み取りエリアにだけ配置した
分析用ディスク。
【請求項７】
第２の読み取りエリアの幅を第１の読み取りエリアの幅以上に設定した
請求項５記載の分析用ディスク。
【請求項８】
前記分析対象が配置されていない第２の読み取りエリアからの検出光を検出する第２のピックアップがトラックにジャストフォーカスするに必要なフォーカス電圧を基準にして、この基準電圧にオフセット電圧を加えた電圧を、前記分析対象が配置された第１の読み取りエリアからの検出光を検出する第１のピックアップのフォーカスアクチェータに印加して分析対象をトレースして映像を取得し、前記オフセット電圧を変更して第１のピックアップのフォーカス位置を変更して前記分析対象のトレースを繰り返して分析対象の映像を立体的に取得するよう構成した
請求項１記載の分析装置。
【発明の詳細な説明】
技術分野
本発明は、血液などの分析対象を分析用の光ディスクにセットし、この分析対象をトレースして映像として捉えようとする分析装置に関する。
背景技術
特表平１０−５０４３９７号公報などにあるように、光ディスクの再生機能を用いてディスク上のある部分に試験しようとする分析対象を設けて、これをトレースして分析対象の映像を取得する方法がある。
通常、光ディスク１０１は図７と図８に示すように、基盤１０１ｂの面にアルミ反射層のトラック１０２を形成し、そのトラックに微細な凹凸のピットとグルーブ１０３で情報が記録されている。１０４は保護層である。
図６に示す一般的な光ディスクドライブでは、ディスクモータ１０５で光ディスク１０１を矢印Ｃ方向に回転させながら、トラック１０２上をピックアップ１０６からのレーザー光Ｐｈで読み取る。ピックアップ１０６は、トラバースモータ１０８で駆動される送りねじ１０９に螺合しており、サーボコントロール回路１０７が、ピックアップ１０６の再生出力に基づいてトラック１０２を追随してトレースするように、トラバースモータ１０８を駆動してピックアップ１０６を径方向に移動させる。また、サーボコントロール回路１０７は、トラック１０２に記録されているアドレス情報を検出し、線速度が一定になるようにディスクモータ１０５を駆動（ＣＬＶ制御）する。
さらに詳しくは、レーザー光Ｐｈの光ディスク１０１への照射位置は、トラバースモータ１０８の駆動だけでなく、ピックアップ１０６の内部に設けられたトラッキングアクチュエータ（図示せず）によってレーザー光Ｐｈの光路を光ディスク１０１の面に対して左右方向（径方向）に必要に応じて併せて駆動してトラッキング制御しながら正確にトラック１０２をトレースするように構成されている。
ここで、分析用ディスクの場合には、オーディオ用やビデオ用ＣＤの場合とは異なり、さらに分析対象１１０が図７と図８に示したように、光ディスク１０１に配置され、従来の光ディスクドライブの技術を使用した分析装置は、この分析対象１１０をピックアップ１０６で読み取って映像信号処理回路１１１で処理して分析対象１１０の映像を得ようとするものである。
このディスク上のトラックに書かれた符号化信号のアドレス情報を利用した場合、分析対象１１０の通過時のフォーカスやトラッキングのサーボ乱れによりアドレス情報がうまく取れない恐れがある。
分析対象１１０の部分はあくまで分析対象１１０が存在するため、ピットやグルーブはその部分に存在できない。もしくは存在していても分析対象１１０の影響で著しくピットやグルーブの信号が読み取り難い。これらは光ディスクでいうところのＤＥＦＥＣＴ（欠陥）に相当する部分にて、ディスクに対する回転サーボ、トラッキングサーボ、フォーカスサーボはそこを通過する間は正常にかからなくなる。結果としてこの分析対象１１０の部分を通過中にはディスクの回転が乱れたり、分析対象１１０の部分通過後、隣のトラックへ着地したりする不具合が多々発生する。ＤＥＦＥＣＴの部分のみ各サーボをホールド状態で保持させるようにしたりする対処法はあるものの、あくまでもコントロールできなくなっている状態にあるため確実ではなく、配置する分析対象の数を増やす程、この不安定領域はさらに増加することになり、ますますサーボの乱れの影響を受けやすくなる。また、ディスクの回転サーボコントロールにおいても同様の問題が発生する。
発明の開示
本発明は、光ディスクに分析対象を配置した分析用ディスクであっても、分析対象の映像をより正確に再生できる分析装置を提供することを目的とする。
本発明の分析装置は、分析対象を配置した分析用ディスクに検出光を照射し、前記分析対象の状態を読み取る分析装置において、前記分析対象が配置された第１の読み取りエリアと前記分析対象が配置されていない第２の読み取りエリアとが分析用ディスクの異なる径の範囲に記録された分析用ディスクがセット可能であり、セットされた前記分析用ディスクの第１の読み取りエリアに検出光を照射し第１の読み取りエリアからの検出光を検出する第１のピックアップと、セットされた前記分析用ディスクの第２の読み取りエリアに検出光を照射し第２の読み取りエリアの検出光からトラック情報を検出する第２のピックアップとを設け、第１のピックアップと第２のピックアップとの分析用ディスクの径方向の間隔を一定に保持して第１，第２のピックアップを径方向に一体的に移動させるトラバース駆動を実施するよう構成し、第２のピックアップの光路を分析用ディスクの径方向に駆動してトラックをトレースするように第２のピックアップのトラッキングアクチュエータにトラッキング信号を供給するとともに、第１のピックアップの光路を分析用ディスクの径方向に駆動する第１のピックアップのトラッキングアクチュエータに第２のピックアップのトラッキング信号と同じ信号を印加して分析対象を読み取るように構成したことを特徴とする。
また、前記第１のピックアップは、分析用ディスクの読み取り位置の映像を読み取る機能を有しトラック情報を読み取る機能は有していないことを特徴とする。
また、２つのピックアップは、分析用ディスクの読み取り位置の映像を読み取る機能とトラック情報を読み取る機能とを共に有しており、トラック情報を分析用ディスクから読み取った一方のピックアップを第２のピックアップとし、他方のピックアップを第１のピックアップとして自動切り替えするように構成したことを特徴とする。
また、第１の読み取りエリアを読み取る第１のピックアップを複数個設けたことを特徴とする。
本発明の分析用ディスクは、異なる径の範囲に第１の読み取りエリアと第２の読み取りエリアが形成された分析用ディスクであって、第２の読み取りエリアにはピックアップにてトレースすることが可能な符号化された信号が光学記録されており分析対象が配置されておらず、第１の読み取りエリアには分析対象を配置しピックアップにてトレースすることが可能な符号化された信号が光学記録されていないことを特徴とする。
本発明の分析用ディスクは、異なる径の範囲に第１の読み取りエリアと第２の読み取りエリアが形成された分析用ディスクであって、第１，第２の読み取りエリアにはピックアップにてトレースすることが可能な符号化された信号が光学記録されており、分析対象を第１，第２の読み取りエリアのうちの第１の読み取りエリアにだけ配置したことを特徴とする。
また、本発明の分析用ディスクは、第２の読み取りエリアの幅を第１の読み取りエリアの幅以上に設定したことを特徴とする。
また、本発明の分析装置は、前記分析対象が配置されていない第２の読み取りエリアからの検出光を検出する第２のピックアップがトラックにジャストフォーカスするに必要なフォーカス電圧を基準にして、この基準電圧にオフセット電圧を加えた電圧を、前記分析対象が配置された第１の読み取りエリアからの検出光を検出する第１のピックアップのフォーカスアクチェータに印加して分析対象をトレースして映像を取得し、前記オフセット電圧を変更して第１のピックアップのフォーカス位置を変更して前記分析対象のトレースを繰り返して分析対象の映像を立体的に取得するよう構成したことを特徴とする。
発明を実施するための最良の形態
以下、本発明の各実施の形態を図１〜図５に基づいて説明する。
なお、従来例を示す図６〜図８と同じものには同一の符号を付けて説明する。
（実施の形態１）
図１〜図４は本発明の（実施の形態１）を示す。
この（実施の形態１）では分析用ディスクの構造と分析装置の構造が従来とは異なっている。
分析用ディスク２０１には、図３と図４に示すように異なる径の範囲に、第１の読み取りエリア１１２と第２の読み取りエリア１１３が形成されている。第１の読み取りエリア１１２の径方向の幅をＷ１、第２の読み取りエリア１１３の径方向の幅をＷ２とした場合に、Ｗ２≧Ｗ１である。
第１の読み取りエリア１１２には、図４（ｂ）に示すように基盤２０１ｂと保護膜２０４の間に分析対象１１０が配置されており、図４（ａ）に示す第２の読み取りエリア１１３に形成されているトラック１０２は形成されていない。第２の読み取りエリア１１３には分析対象１１０は配置されていない。分析用ディスク２０１は、基盤２０１ｂの面にアルミ反射層の前記トラック１０２を形成し、そのトラック１０２に微細な凹凸のピットとグルーブ１０３で情報が記録されている。
この分析用ディスク２０１がセットされる分析装置には、図１と図２に示すように第１，第２のピックアップ１０６ａ，１０６ｂが設けられている。
第１のピックアップ１０６ａは、セットされた分析用ディスク２０１の第１の読み取りエリア１１２にレーザー光Ｐｈを照射し第１の読み取りエリア１１２からの検出光を検出する。第２のピックアップ１０６ｂは、セットされた分析用ディスク２０１の第２の読み取りエリア１１３にレーザー光Ｐｈを照射し第２の読み取りエリア１１３からトラック情報を検出する。
第１のピックアップ１０６ａから照射されるレーザー光Ｐｈと第２のピックアップ１０６ｂから照射されるレーザー光Ｐｈとの、分析用ディスク２０１の径方向の間隔Ｌを一定に保持しながら第１，第２のピックアップ１０６ａ，１０６ｂを径方向に一体に移動させるために、例えば、第１のピックアップ１０６ａと第２のピックアップ１０６ｂとを、トラバースモータ１０８で駆動される送りねじ１０９の長さ方向（分析用ディスク２０１の径方向と同じ）に沿って配列すると共に、両者はブロック１１４を介して連結し、第２のピックアップ１０６ｂだけが送りねじ１０９に螺合している。
第１，第２のピックアップ１０６ａ，１０６ｂには、それぞれに、レンズ１１５をフォーカス方向に駆動するフォーカスアクチュエータ（図示せず）とレンズ１１５を分析用ディスク２０１の面に対して左右方向（径方向）に駆動するトラッキングアクチュエータ１１６ａ，１１６ｂとが設けられている。
ブロック１１４の長さは、第１のピックアップ１０６ａからのレーザー光Ｐｈが第１の読み取りエリア１１２を照射し第２のピックアップ１０６ｂからのレーザー光Ｐｈが第２の読み取りエリア１１３を照射できる長さに設定されている。
さらに、第１，第２のピックアップ１０６ａ，１０６ｂは別々にフォーカス制御を実行すると共に、第２のピックアップ１０６ｂがトラック１０２をトレースする。そしてサーボコントロール回路１０７は、第２のピックアップ１０６ｂのトラッキングアクチュエータ１１６ｂに印加するトラッキング電圧と同じ信号を、第１のピックアップ１０６ａのトラッキングアクチュエータ１１６ａに印加するよう構成されている。
このように、第２のピックアップ１０６ｂがフォーカス制御しながら第２の読み取りエリア１１３のトラック１０２をトレースするように、サーボコントロール回路１０７が、トラバースモータ１０８とトラッキングアクチュエータ１１６ｂを駆動する。これによって、第２のピックアップ１０６ｂと一体に分析用ディスク２０１の径方向に移動する第１のピックアップ１０６ａの第１の読み取りエリア１１２における読み取り位置も分析用ディスク２０１の径方向に移動する。
第２の読み取りエリア１１３には分析対象１１０が設けられていないため、第２のピックアップ１０６ｂは、トラバースモータ１０８とトラッキングアクチュエータ１１６ｂの駆動によって正確にトラック１０２をトレースすることができる。また、第２のピックアップ１０６ｂがトラックをトレースして収集した正確なアドレス情報に基づいてサーボコントロール回路１０７はディスクモータ１０５を、線速度が一定になるように安定なＣＬＶ制御を実行することができ、第１のピックアップ１０６ａは、安定なＣＬＶ制御中の分析用ディスク２０１から、第２のピックアップ１０６ｂでのトラッキング電圧によって分析用ディスク２０１の径方向の位置が正確に制御されながら分析対象１１０の画像を読み取ることができる。
なお、この実施の形態では、単一の第１のピックアップ１０６ａで分析対象１１０を読み取ったが、第１の読み取りエリア１１２を読み取るピックアップを複数個にし、これらが第２のピックアップ１０６ｂと平行に移動するという条件さえ備えていれば、ピックアップの数が増える分だけ映像取得の効率が上がることになる。
第１，第２のピックアップ１０６ａ，１０６ｂは、何れもが分析用ディスク２０１の分析対象の映像を読み取る機能とトラック情報を読み取る機能の両方を有していてもよいが、第１のピックアップ１０６ａは、分析用ディスクの分析対象の映像を読み取る機能を有しトラック情報を読み取る機能は有していなくても構成できる。
また、上記の説明では、分析用ディスクの内周側に第２の読み取りエリア１１３を設け、外周側に第１の読み取りエリア１１２を設けたが、分析用ディスクの内周側に第１の読み取りエリア１１２を設け、外周側に第２の読み取りエリア１１３を設けて構成することもでき、この（実施の形態１）では分析用ディスク２０１の内周側と外周側のいずれに第２の読み取りエリア１１３が配置されているのかを設定して、サーボコントロール回路１０７がトラッキング電圧を計算するための入力情報が２つのピックアップの何れから受け入れるのかを特定することが必要である。
（実施の形態２）
上記の（実施の形態１）では、分析用ディスク２０１の内周側と外周側のいずれに第２の読み取りエリア１１３が配置されているのかを設定する事が必要であったが、２つのピックアップの何れからトラックをトレースしたアドレス情報などが検出されるかを判定する手段を追加し、アドレス情報などが検出されたピックアップを第２のピックアップ１０６ｂとし、もう一方を第１のピックアップ１０６ａとして自動切り替えするようにサーボコントロール回路１０７などを構成することによって、自動処理させることができる。
なお、この（実施の形態２）の場合には、図３に示したように第１の読み取りエリア１１２にはトラック１０２を設けてはいけないが、（実施の形態１）の場合には、第１，第２の読み取りエリア１１２，１１３の両方にトラック１０２を設け、第２の読み取りエリア１１３にだけ分析対象１１０を設けないように構成した分析用ディスクでも同様の動作を期待できる。
（実施の形態３）
上記の各実施の形態では、ピックアップが第１のピックアップ１０６ａと第２のピックアップ１０６ｂとに分かれていることによって、分析対象１１０の映像を立体的に取得することができる。
つまり、第２のピックアップ１０６ｂのフォーカス位置をトラック１０２のピットやグルーブに自動制御するのに対して、第１のピックアップ１０６ａのフォーカス位置を分析対象１１０の上部や下部に変更して、トレースを繰り返すことによって得られる映像の差から、分析対象１１０の映像を立体的に取得する。
図５に示す（実施の形態３）に基づいて更に具体的に説明する。
第２のピックアップ１０６ｂのフォーカス位置は、トラックの信号を取得するために図５（ａ）に示すように光ディスクの鏡面のピットとグルーブ１０３上である必要がある。
これに対して、第１のピックアップ１０６ａのフォーカス位置は、トラック情報を取得する必要が無いため任意のフォーカス位置に設定してトレースすることが可能である。
このことを利用して第１のピックアップ１０６ａのジャストフォーカス位置を故意に段階的オフセットしてデータ取得を繰り返すことにより、分析対象１１０の映像データを立体的に取得している。
具体的には第１のピックアップ１０６ａのフォーカス位置を第２のピックアップ１０６ｂのフォーカスアクチェータに加えるフォーカス電圧よりも段階的にオフセットさせた電圧を第１のピックアップ１０６ａのフォーカスアクチェータに印加する。
たとえば、第２のピックアップ１０６ｂがディスクのトラックにフォーカスを合わせるために必要なフォーカス電圧が＋１．５ボルト、ピックアップの諸特性であるフォーカス移動距離／フォーカス印加電圧が３００μｍ／Ｖであったと仮定する。
この場合、第１のピックアップ１０６ａのフォーカスアクチェータに＋１ボルトを印加して先ずトレースしてデータを取得し、同じ部分の次のトレースの際には＋１．１ボルトを印加してデータを取得というように、第１のピックアップ１０６ａのフォーカスコイルへの印加電圧を０．１ボルトずつ順次に電圧を増やすことを繰り返して＋２．０ボルトまでフォーカス電圧を増加させてデータ取得を行うことによって、この場合には、光ディスクの分析対象１１０の３００μｍの厚みを１０分割の分解能でトレースしたことになる。図５（ｂ）は、第１の読み取りエリア１１２の分析対象１１０が立体であった例を示している。点線が第１のピックアップ１０６ａのフォーカスアクチェータに印加するフォーカス電圧を変えた時のそれぞれのジャストフォーカス位置を示している。
このように、分析対象１１０の厚み方向の形状の違いについても映像を取得することが可能となる。
以上のように本発明によれば、光ディスクに分析対象を配置した分析用ディスクであっても、分析対象の影響を受けずにピックアップを正確にトラッキング制御でき、かつ分析用ディスクの回転制御も分析対象の影響を受けずに安定して制御することができ、分析対象の鮮明な画像が抽出できるものである。
【図面の簡単な説明】
図１は本発明の（実施の形態１）の分析装置の構成図
図２は同実施の形態のピックアップの構成図
図３は同実施の形態の分析用ディスクの一部切り欠き平面図
図４は同実施の形態の分析用ディスクの第２の読み取りエリアのトラック方向に沿った断面図と第１の読み取りエリアのトラック方向に沿った断面図
図５は本発明の（実施の形態３）の分析装置のフォーカス制御の具体例を説明する図
図６は従来の光ディスクドライブ装置による分析装置の構成図
図７は同従来例の光ディスクの一部切り欠き平面図
図８は同分析ディスクのトラック方向に沿った断面図
【図１】
2003102556.tif 000003
【図２】
2003102556.tif 000004
【図３】
2003102556.tif 000005
【図４】
2003102556.tif 000006
【図５】
2003102556.tif 000007
【図６】
2003102556.tif 000008
【図７】
2003102556.tif 000009
【図８】
2003102556.tif 000010
【手続補正書】
【提出日】平成16年11月30日(2004.11.30)
【手続補正１】
【補正対象書類名】特許請求の範囲
【補正対象項目名】全文
【補正方法】変更
【補正の内容】
【特許請求の範囲】
【請求項１】
分析対象を配置した分析用ディスクに検出光を照射し、前記分析対象の状態を読み取る分析装置において、
前記分析対象が配置された第１の読み取りエリアと前記分析対象が配置されていない第２の読み取りエリアとが分析用ディスクの異なる径の範囲に記録された分析用ディスクがセット可能であり、
セットされた前記分析用ディスクの第１の読み取りエリアに検出光を照射し第１の読み取りエリアからの検出光を検出する第１のピックアップと、
セットされた前記分析用ディスクの第２の読み取りエリアに検出光を照射し第２の読み取りエリアの検出光からトラック情報を検出する第２のピックアップと
を設け、第１のピックアップと第２のピックアップとの分析用ディスクの径方向の間隔を一定に保持して第１，第２のピックアップを径方向に一体的に移動させるトラバース駆動を実施するよう構成し、
第２のピックアップの光路を分析用ディスクの径方向に駆動してトラックをトレースするように第２のピックアップのトラッキングアクチュエータにトラッキング信号を供給するとともに、第１のピックアップの光路を分析用ディスクの径方向に駆動する第１のピックアップのトラッキングアクチュエータに第２のピックアップのトラッキング信号と同じ信号を印加して分析対象を読み取るように構成した分析装置。
【請求項２】
第１のピックアップは、分析用ディスクの読み取り位置の映像を読み取る機能を有しトラック情報を読み取る機能は有していない請求項１記載の分析装置。
【請求項３】
２つのピックアップは、分析用ディスクの読み取り位置の映像を読み取る機能とトラック情報を読み取る機能とを共に有しており、
トラック情報を分析用ディスクから読み取った一方のピックアップを第２のピックアップとし、他方のピックアップを第１のピックアップとして自動切り替えするように構成した請求項１記載の分析装置。
【請求項４】
第１の読み取りエリアを読み取る第１のピックアップを複数個設けたことを特徴とする請求項１記載の分析装置。
【請求項５】
異なる径の範囲に第１の読み取りエリアと第２の読み取りエリアが形成された分析用ディスクであって、
第２の読み取りエリアにはピックアップにてトレースすることが可能な符号化された信号が光学記録されており分析対象が配置されておらず、
第１の読み取りエリアには分析対象を配置しピックアップにてトレースすることが可能な符号化された信号が光学記録されていない分析用ディスク。
【請求項６】
異なる径の範囲に第１の読み取りエリアと第２の読み取りエリアが形成された分析用ディスクであって、
第１，第２の読み取りエリアにはピックアップにてトレースすることが可能な符号化された信号が光学記録されており、分析対象を第１，第２の読み取りエリアのうちの第１の読み取りエリアにだけ配置した分析用ディスク。
【請求項７】
第２の読み取りエリアの幅を第１の読み取りエリアの幅以上に設定した
請求項５記載の分析用ディスク。
【請求項８】
前記分析対象が配置されていない第２の読み取りエリアからの検出光を検出する第２のピックアップがトラックにジャストフォーカスするに必要なフォーカス電圧を基準にして、この基準電圧にオフセット電圧を加えた電圧を、前記分析対象が配置された第１の読み取りエリアからの検出光を検出する第１のピックアップのフォーカスアクチェータに印加して分析対象をトレースして映像を取得し、前記オフセット電圧を変更して第１のピックアップのフォーカス位置を変更して前記分析対象のトレースを繰り返して分析対象の映像を立体的に取得するよう構成した請求項１記載の分析装置。
【手続補正２】
【補正対象書類名】明細書
【補正対象項目名】全文
【補正方法】変更
【補正の内容】
【発明の詳細な説明】
【技術分野】
【０００１】
本発明は、血液などの分析対象を分析用の光ディスクにセットし、この分析対象をトレースして映像として捉えようとする分析装置に関する。
【背景技術】
【０００２】
特表平１０−５０４３９７号公報などにあるように、光ディスクの再生機能を用いてディスク上のある部分に試験しようとする分析対象を設けて、これをトレースして分析対象の映像を取得する方法がある。
【０００３】
通常、光ディスク１０１は図７と図８に示すように、基盤１０１ｂの面にアルミ反射層のトラック１０２を形成し、そのトラックに微細な凹凸のピットとグルーブ１０３で情報が記録されている。１０４は保護層である。
【０００４】
図６に示す一般的な光ディスクドライブでは、ディスクモータ１０５で光ディスク１０１を矢印Ｃ方向に回転させながら、トラック１０２上をピックアップ１０６からのレーザー光Ｐｈで読み取る。ピックアップ１０６は、トラバースモータ１０８で駆動される送りねじ１０９に螺合しており、サーボコントロール回路１０７が、ピックアップ１０６の再生出力に基づいてトラック１０２を追随してトレースするように、トラバースモータ１０８を駆動してピックアップ１０６を径方向に移動させる。また、サーボコントロール回路１０７は、トラック１０２に記録されているアドレス情報を検出し、線速度が一定になるようにディスクモータ１０５を駆動（ＣＬＶ制御）する。
【０００５】
さらに詳しくは、レーザー光Ｐｈの光ディスク１０１への照射位置は、トラバースモータ１０８の駆動だけでなく、ピックアップ１０６の内部に設けられたトラッキングアクチュエータ（図示せず）によってレーザー光Ｐｈの光路を光ディスク１０１の面に対して左右方向（径方向）に必要に応じて併せて駆動してトラッキング制御しながら正確にトラック１０２をトレースするように構成されている。
【０００６】
ここで、分析用ディスクの場合には、オーディオ用やビデオ用ＣＤの場合とは異なり、さらに分析対象１１０が図７と図８に示したように、光ディスク１０１に配置され、従来の光ディスクドライブの技術を使用した分析装置は、この分析対象１１０をピックアップ１０６で読み取って映像信号処理回路１１１で処理して分析対象１１０の映像を得ようとするものである。
【特許文献１】特開２０００−１７３０８０号公報
【特許文献２】特開２００１−４５１９号公報
【特許文献３】国際公開番号  ＷＯ  ０１／５３８３１号公報
【特許文献４】特開平９−２３７９１４号公報
【発明の開示】
【発明が解決しようとする課題】
【０００７】
このディスク上のトラックに書かれた符号化信号のアドレス情報を利用した場合、分析対象１１０の通過時のフォーカスやトラッキングのサーボ乱れによりアドレス情報がうまく取れない恐れがある。
【０００８】
分析対象１１０の部分はあくまで分析対象１１０が存在するため、ピットやグルーブはその部分に存在できない。もしくは存在していても分析対象１１０の影響で著しくピットやグルーブの信号が読み取り難い。これらは光ディスクでいうところのＤＥＦＥＣＴ（欠陥）に相当する部分にて、ディスクに対する回転サーボ、トラッキングサーボ、フォーカスサーボはそこを通過する間は正常にかからなくなる。結果としてこの分析対象１１０の部分を通過中にはディスクの回転が乱れたり、分析対象１１０の部分通過後、隣のトラックへ着地したりする不具合が多々発生する。ＤＥＦＥＣＴの部分のみ各サーボをホールド状態で保持させるようにしたりする対処法はあるものの、あくまでもコントロールできなくなっている状態にあるため確実ではなく、配置する分析対象の数を増やす程、この不安定領域はさらに増加することになり、ますますサーボの乱れの影響を受けやすくなる。また、ディスクの回転サーボコントロールにおいても同様の問題が発生する。
【０００９】
本発明は、光ディスクに分析対象を配置した分析用ディスクであっても、分析対象の映像をより正確に再生できる分析装置を提供することを目的とする。
【課題を解決するための手段】
【００１０】
本発明の分析装置は、分析対象を配置した分析用ディスクに検出光を照射し、前記分析対象の状態を読み取る分析装置において、前記分析対象が配置された第１の読み取りエリアと前記分析対象が配置されていない第２の読み取りエリアとが分析用ディスクの異なる径の範囲に記録された分析用ディスクがセット可能であり、セットされた前記分析用ディスクの第１の読み取りエリアに検出光を照射し第１の読み取りエリアからの検出光を検出する第１のピックアップと、セットされた前記分析用ディスクの第２の読み取りエリアに検出光を照射し第２の読み取りエリアの検出光からトラック情報を検出する第２のピックアップとを設け、第１のピックアップと第２のピックアップとの分析用ディスクの径方向の間隔を一定に保持して第１，第２のピックアップを径方向に一体的に移動させるトラバース駆動を実施するよう構成し、第２のピックアップの光路を分析用ディスクの径方向に駆動してトラックをトレースするように第２のピックアップのトラッキングアクチュエータにトラッキング信号を供給するとともに、第１のピックアップの光路を分析用ディスクの径方向に駆動する第１のピックアップのトラッキングアクチュエータに第２のピックアップのトラッキング信号と同じ信号を印加して分析対象を読み取るように構成したことを特徴とする。
【００１１】
また、前記第１のピックアップは、分析用ディスクの読み取り位置の映像を読み取る機能を有しトラック情報を読み取る機能は有していないことを特徴とする。
また、２つのピックアップは、分析用ディスクの読み取り位置の映像を読み取る機能とトラック情報を読み取る機能とを共に有しており、トラック情報を分析用ディスクから読み取った一方のピックアップを第２のピックアップとし、他方のピックアップを第１のピックアップとして自動切り替えするように構成したことを特徴とする。
【００１２】
また、第１の読み取りエリアを読み取る第１のピックアップを複数個設けたことを特徴とする。
本発明の分析用ディスクは、異なる径の範囲に第１の読み取りエリアと第２の読み取りエリアが形成された分析用ディスクであって、第２の読み取りエリアにはピックアップにてトレースすることが可能な符号化された信号が光学記録されており分析対象が配置されておらず、第１の読み取りエリアには分析対象を配置しピックアップにてトレースすることが可能な符号化された信号が光学記録されていないことを特徴とする。
【００１３】
本発明の分析用ディスクは、異なる径の範囲に第１の読み取りエリアと第２の読み取りエリアが形成された分析用ディスクであって、第１，第２の読み取りエリアにはピックアップにてトレースすることが可能な符号化された信号が光学記録されており、分析対象を第１，第２の読み取りエリアのうちの第１の読み取りエリアにだけ配置したことを特徴とする。
【００１４】
また、本発明の分析用ディスクは、第２の読み取りエリアの幅を第１の読み取りエリアの幅以上に設定したことを特徴とする。
また、本発明の分析装置は、前記分析対象が配置されていない第２の読み取りエリアからの検出光を検出する第２のピックアップがトラックにジャストフォーカスするに必要なフォーカス電圧を基準にして、この基準電圧にオフセット電圧を加えた電圧を、前記分析対象が配置された第１の読み取りエリアからの検出光を検出する第１のピックアップのフォーカスアクチェータに印加して分析対象をトレースして映像を取得し、前記オフセット電圧を変更して第１のピックアップのフォーカス位置を変更して前記分析対象のトレースを繰り返して分析対象の映像を立体的に取得するよう構成したことを特徴とする。
【発明の効果】
【００１５】
以上のように本発明によれば、光ディスクに分析対象を配置した分析用ディスクであっても、分析対象の影響を受けずにピックアップを正確にトラッキング制御でき、かつ分析用ディスクの回転制御も分析対象の影響を受けずに安定して制御することができ、分析対象の鮮明な画像が抽出できるものである。
【発明を実施するための最良の形態】
【００１６】
以下、本発明の各実施の形態を図１〜図５に基づいて説明する。
なお、従来例を示す図６〜図８と同じものには同一の符号を付けて説明する。
（実施の形態１）
図１〜図４は本発明の（実施の形態１）を示す。
【００１７】
この（実施の形態１）では分析用ディスクの構造と分析装置の構造が従来とは異なっている。
分析用ディスク２０１には、図３と図４に示すように異なる径の範囲に、第１の読み取りエリア１１２と第２の読み取りエリア１１３が形成されている。第１の読み取りエリア１１２の径方向の幅をＷ１、第２の読み取りエリア１１３の径方向の幅をＷ２とした場合に、Ｗ２  ≧  Ｗ１  である。
【００１８】
第１の読み取りエリア１１２には、図４（ｂ）に示すように基盤２０１ｂと保護膜２０４の間に分析対象１１０が配置されており、図４（ａ）に示す第２の読み取りエリア１１３に形成されているトラック１０２は形成されていない。第２の読み取りエリア１１３には分析対象１１０は配置されていない。分析用ディスク２０１は、基盤２０１ｂの面にアルミ反射層の前記トラック１０２を形成し、そのトラック１０２に微細な凹凸のピットとグルーブ１０３で情報が記録されている。
【００１９】
この分析用ディスク２０１がセットされる分析装置には、図１と図２に示すように第１，第２のピックアップ１０６ａ，１０６ｂが設けられている。
第１のピックアップ１０６ａは、セットされた分析用ディスク２０１の第１の読み取りエリア１１２にレーザー光Ｐｈを照射し第１の読み取りエリア１１２からの検出光を検出する。第２のピックアップ１０６ｂは、セットされた分析用ディスク２０１の第２の読み取りエリア１１３にレーザー光Ｐｈを照射し第２の読み取りエリア１１３からトラック情報を検出する。
【００２０】
第１のピックアップ１０６ａから照射されるレーザー光Ｐｈと第２のピックアップ１０６ｂから照射されるレーザー光Ｐｈとの、分析用ディスク２０１の径方向の間隔Ｌを一定に保持しながら第１，第２のピックアップ１０６ａ，１０６ｂを径方向に一体に移動させるために、例えば、第１のピックアップ１０６ａと第２のピックアップ１０６ｂとを、トラバースモータ１０８で駆動される送りねじ１０９の長さ方向（分析用ディスク２０１の径方向と同じ）に沿って配列すると共に、両者はブロック１１４を介して連結し、第２のピックアップ１０６ｂだけが送りねじ１０９に螺合している。
【００２１】
第１，第２のピックアップ１０６ａ，１０６ｂには、それぞれに、レンズ１１５をフォーカス方向に駆動するフォーカスアクチュエータ（図示せず）とレンズ１１５を分析用ディスク２０１の面に対して左右方向（径方向）に駆動するトラッキングアクチュエータ１１６ａ，１１６ｂとが設けられている。
【００２２】
ブロック１１４の長さは、第１のピックアップ１０６ａからのレーザー光Ｐｈが第１の読み取りエリア１１２を照射し第２のピックアップ１０６ｂからのレーザー光Ｐｈが第２の読み取りエリア１１３を照射できる長さに設定されている。
【００２３】
さらに、第１，第２のピックアップ１０６ａ，１０６ｂは別々にフォーカス制御を実行すると共に、第２のピックアップ１０６ｂがトラック１０２をトレースする。そしてサーボコントロール回路１０７は、第２のピックアップ１０６ｂのトラッキングアクチュエータ１１６ｂに印加するトラッキング電圧と同じ信号を、第１のピックアップ１０６ａのトラッキングアクチュエータ１１６ａに印加するよう構成されている。
【００２４】
このように、第２のピックアップ１０６ｂがフォーカス制御しながら第２の読み取りエリア１１３のトラック１０２をトレースするように、サーボコントロール回路１０７が、トラバースモータ１０８とトラッキングアクチュエータ１１６ｂを駆動する。これによって、第２のピックアップ１０６ｂと一体に分析用ディスク２０１の径方向に移動する第１のピックアップ１０６ａの第１の読み取りエリア１１２における読み取り位置も分析用ディスク２０１の径方向に移動する。
【００２５】
第２の読み取りエリア１１３には分析対象１１０が設けられていないため、第２のピックアップ１０６ｂは、トラバースモータ１０８とトラッキングアクチュエータ１１６ｂの駆動によって正確にトラック１０２をトレースすることができる。また、第２のピックアップ１０６ｂがトラックをトレースして収集した正確なアドレス情報に基づいてサーボコントロール回路１０７はディスクモータ１０５を、線速度が一定になるように安定なＣＬＶ制御を実行することができ、第１のピックアップ１０６ａは、安定なＣＬＶ制御中の分析用ディスク２０１から、第２のピックアップ１０６ｂでのトラッキング電圧によって分析用ディスク２０１の径方向の位置が正確に制御されながら分析対象１１０の画像を読み取ることができる。
【００２６】
なお、この実施の形態では、単一の第１のピックアップ１０６ａで分析対象１１０を読み取ったが、第１の読み取りエリア１１２を読み取るピックアップを複数個にし、これらが第２のピックアップ１０６ｂと平行に移動するという条件さえ備えていれば、ピックアップの数が増える分だけ映像取得の効率が上がることになる。
【００２７】
第１，第２のピックアップ１０６ａ，１０６ｂは、何れもが分析用ディスク２０１の分析対象の映像を読み取る機能とトラック情報を読み取る機能の両方を有していてもよいが、第１のピックアップ１０６ａは、分析用ディスクの分析対象の映像を読み取る機能を有しトラック情報を読み取る機能は有していなくても構成できる。
【００２８】
また、上記の説明では、分析用ディスクの内周側に第２の読み取りエリア１１３を設け、外周側に第１の読み取りエリア１１２を設けたが、分析用ディスクの内周側に第１の読み取りエリア１１２を設け、外周側に第２の読み取りエリア１１３を設けて構成することもでき、この（実施の形態１）では分析用ディスク２０１の内周側と外周側のいずれに第２の読み取りエリア１１３が配置されているのかを設定して、サーボコントロール回路１０７がトラッキング電圧を計算するための入力情報が２つのピックアップの何れから受け入れるのかを特定することが必要である。
【００２９】
（実施の形態２）
上記の（実施の形態１）では、分析用ディスク２０１の内周側と外周側のいずれに第２の読み取りエリア１１３が配置されているのかを設定する事が必要であったが、２つのピックアップの何れからトラックをトレースしたアドレス情報などが検出されるかを判定する手段を追加し、アドレス情報などが検出されたピックアップを第２のピックアップ１０６ｂとし、もう一方を第１のピックアップ１０６ａとして自動切り替えするようにサーボコントロール回路１０７などを構成することによって、自動処理させることができる。
【００３０】
なお、この（実施の形態２）の場合には、図３に示したように第１の読み取りエリア１１２にはトラック１０２を設けてはいないが、（実施の形態１）の場合には、第１，第２の読み取りエリア１１２，１１３の両方にトラック１０２を設け、第２の読み取りエリア１１３にだけ分析対象１１０を設けないように構成した分析用ディスクでも同様の動作を期待できる。
【００３１】
（実施の形態３）
上記の各実施の形態では、ピックアップが第１のピックアップ１０６ａと第２のピックアップ１０６ｂとに分かれていることによって、分析対象１１０の映像を立体的に取得することができる。
【００３２】
つまり、第２のピックアップ１０６ｂのフォーカス位置をトラック１０２のピットやグルーブに自動制御するのに対して、第１のピックアップ１０６ａのフォーカス位置を分析対象１１０の上部や下部に変更して、トレースを繰り返すことによって得られる映像の差から、分析対象１１０の映像を立体的に取得する。
【００３３】
図５に示す（実施の形態３）に基づいて更に具体的に説明する。
第２のピックアップ１０６ｂのフォーカス位置は、トラックの信号を取得するために図５（ａ）に示すように光ディスクの鏡面のピットとグルーブ１０３上である必要がある。
【００３４】
これに対して、第１のピックアップ１０６ａのフォーカス位置は、トラック情報を取得する必要が無いため任意のフォーカス位置に設定してトレースすることが可能である。
このことを利用して第１のピックアップ１０６ａのジャストフォーカス位置を故意に段階的オフセットしてデータ取得を繰り返すことにより、分析対象１１０の映像データを立体的に取得している。
【００３５】
具体的には第１のピックアップ１０６ａのフォーカス位置を第２のピックアップ１０６ｂのフォーカスアクチェータに加えるフォーカス電圧よりも段階的にオフセットさせた電圧を第１のピックアップ１０６ａのフォーカスアクチェータに印加する。
【００３６】
たとえば、第２のピックアップ１０６ｂがディスクのトラックにフォーカスを合わせるために必要なフォーカス電圧が＋１．５ボルト、ピックアップの諸特性であるフォーカス移動距離／フォーカス印加電圧が３００μｍ／Ｖであったと仮定する。
【００３７】
この場合、第１のピックアップ１０６ａのフォーカスアクチェータに＋１ボルトを印加して先ずトレースしてデータを取得し、同じ部分の次のトレースの際には＋１．１ボルトを印加してデータを取得というように、第１のピックアップ１０６ａのフォーカスコイルへの印加電圧を０．１ボルトずつ順次に電圧を増やすことを繰り返して＋２．０ボルトまでフォーカス電圧を増加させてデータ取得を行うことによって、この場合には、光ディスクの分析対象１１０の３００μｍの厚みを１０分割の分解能でトレースしたことになる。図５（ｂ）は、第１の読み取りエリア１１２の分析対象１１０が立体であった例を示している。点線が第１のピックアップ１０６ａのフォーカスアクチェータに印加するフォーカス電圧を変えた時のそれぞれのジャストフォーカス位置を示している。
【００３８】
このように、分析対象１１０の厚み方向の形状の違いについても映像を取得することが可能となる。
【図面の簡単な説明】
【００３９】
【図１】本発明の（実施の形態１）の分析装置の構成図である。
【図２】同実施の形態のピックアップの構成図である。
【図３】同実施の形態の分析用ディスクの一部切り欠き平面図である。
【図４】同実施の形態の分析用ディスクの第２の読み取りエリアのトラック方向に沿った断面図と第１の読み取りエリアのトラック方向に沿った断面図である。
【図５】本発明の（実施の形態３）の分析装置のフォーカス制御の具体例を説明する図である。
【図６】従来の光ディスクドライブ装置による分析装置の構成図である。
【図７】同従来例の光ディスクの一部切り欠き平面図である。
【図８】同分析ディスクのトラック方向に沿った断面図である。
【符号の説明】
【００４０】
１０６ａ  第１のピックアップ
１０６ｂ  第２のピックアップ
１０８    トラバースモータ
１１０    分析対象
１１２    第１の読み取りエリア
１１３    第２の読み取りエリア
１１６ａ  第１のピックアップのトラッキングアクチュエータ
１１６ｂ  第２のピックアップのトラッキングアクチュエータ
２０１    分析用ディスク
ｐｈ      レーザー光（検出光）
【国際調査報告】
2003102556.tif 000011
2003102556.tif 000012
2003102556.tif 000013